(57)【要約】【課題】角形状缶の側壁面部おける座屈強度を向上させる。【解決手段】コーナー部１０と側壁面部２０とを有する胴部２の縦方向の開口端に天板３と底板４とを接合して構成され、胴部２におけるコーナー部１０と側壁面部２０の境界部分Ｃが縦方向と平行に形成され、各側壁面部２０は、平板部２０ａと、外方に隆起する隆起部２２と、縦方向で隆起部２２の上側および下側に設けられた横ビード２１とを備えるように構成された角形状缶１において、隆起部２２は、隆起部２２における外周縁を形成し平板部２０ａから缶体外方に傾斜する外テーパー部２２４を有し、外テーパー部２２４の外周縁における縦方向の端部は、横ビード２１の近傍に形成されている。【選択図】図１
2014151949.tif 000002
【特許請求の範囲】
【請求項１】
湾曲した四つコーナー部と当該コーナー部に挟まれる四つ側壁面部とを有する略四角形状の筒体となる胴部の縦方向の開口端に端板をそれぞれ接合して構成され、前記胴部における前記側壁面部と前記コーナー部との境界部分が縦方向と平行に形成され、各側壁面部は、平板部と、外方に隆起する隆起部と、縦方向で前記隆起部の上側および下側に設けられ、かつ横方向に延びるように形成された横ビードとを備えるように構成された角形状缶において、
前記隆起部は、当該隆起部における外周縁を形成するとともに前記平板部から缶体外方に傾斜する傾斜部を有し、
前記傾斜部の外周縁における縦方向の端部は、前記横ビードのうち上側あるいは下側のいずれか一方の近傍に形成されている
ことを特徴とする角形状缶。
【請求項２】
前記傾斜部の外周縁と前記横ビードとの縦方向の間隔は、前記傾斜部の外周縁と前記境界部分との横方向の間隔よりも狭くなるように構成されている
ことを特徴とする請求項１に記載の角形状缶。
【請求項３】
前記隆起部は、前記平板部と平行な面に形成されているとともに、前記横ビードと平行に形成された横枠部分を含む略四角枠状に形成された天幅部をさらに有し、
前記傾斜部は、前記天幅部の外周縁に接し、かつテーパー状に形成され、
前記傾斜部の外周縁と前記横ビードとの縦方向の間隔は、前記横枠部分における縦方向の幅よりも狭くなるように構成されている
ことを特徴とする請求項１または２に記載の角形状缶。
【請求項４】
前記天幅部は、前記境界部分と平行に形成された縦枠部分をさらに有し、
前記天幅部の横枠部分における縦方向の幅は、前記天幅部の縦枠部分における横方向の幅より広くなるように構成されている
ことを特徴とする請求項３に記載の角形状缶。
【請求項５】
前記傾斜部のうち前記横ビードと平行に形成された横枠部分における前記平板部に対する傾斜角度は、前記横ビードが前記平板部から傾斜する角度よりも小さくなるように構成されている
ことを特徴とする請求項１から４のいずれかに記載の角形状缶。
【発明の詳細な説明】
【技術分野】
【０００１】
この発明は、１８リットル缶などの角形状缶に関し、特に胴部に補強ビードが形成された角形状缶に関するものである。
【背景技術】
【０００２】
いわゆる１８リットル缶などの角形状缶において、縦方向の荷重の耐久性を向上させるため、角形状缶の胴部に縦方向に延びる補強ビードを設けた構成が種々提案されている。例えば、特許文献１には、縦方向の補強ビードが、各コーナー部には形成されておらず、各側壁面部に形成された矩形補強部およびコーナー部を挟むようにして形成され、縦方向補強ビードの両先端部が胴部の上下端縁と一致するように構成することが記載されている。また、特許文献２には、各コーナー部に縦方向の補強ビードを形成するとともに、その補強ビードは、各コーナー部の上下端縁から延びるように形成され、かつコーナー部の頂部上に形成されていることが記載され、その補強ビードの個数や配置を変更させた構成が開示されている。さらに、特許文献３には、コーナー部のうち接合部が形成されているコーナー部には補強ビードを形成せず、その他のコーナー部に縦方向の補強ビードを形成することが開示されている。
【先行技術文献】
【特許文献】
【０００３】
【特許文献１】特許第４７９１０１２号公報
【特許文献２】特開２００７−２３７１８５号公報
【特許文献３】国際公開第２００９／０２８０８３号
【発明の概要】
【発明が解決しようとする課題】
【０００４】
ところで、角形状缶において、コーナー部に縦方向の補強ビードを設けることに加え、側壁面部に横方向に延びる補強ビードを設けることが知られている。その横方向の補強ビードを設けることで側壁面部をある程度補強できるものの、角形状缶に縦荷重が作用する場合、例えば偏荷重が作用する場合などでは、側壁面部の座屈強度に対しては十分ではなく、コーナー部近傍の側壁面部に変形が生じる虞があった。
【０００５】
この発明は上記の事情を背景としてなされたものであり、側壁面部における座屈強度を向上させる角形状缶を提供することを目的とするものである。
【課題を解決するための手段】
【０００６】
上記の目的を達成するために、請求項１に係る発明は、湾曲した四つコーナー部と当該コーナー部に挟まれる四つ側壁面部とを有する略四角形状の筒体となる胴部の縦方向の開口端に端板をそれぞれ接合して構成され、前記胴部における前記側壁面部と前記コーナー部との境界部分が縦方向と平行に形成され、各側壁面部は、平板部と、外方に隆起する隆起部と、縦方向で前記隆起部の上側および下側に設けられ、かつ横方向に延びるように形成された横ビードとを備えるように構成された角形状缶において、前記隆起部は、当該隆起部における外周縁を形成するとともに前記平板部から缶体外方に傾斜する傾斜部を有し、前記傾斜部の外周縁における縦方向の端部は、前記横ビードのうち上側あるいは下側のいずれか一方の近傍に形成されていることを特徴とするものである。
【０００７】
請求項２に係る発明は、請求項１の発明において、前記傾斜部の外周縁と前記横ビードとの縦方向の間隔は、前記傾斜部の外周縁と前記境界部分との横方向の間隔よりも狭くなるように構成されていることを特徴とする角形状缶である。
【０００８】
請求項３に係る発明は、請求項１または２の発明において、前記隆起部は、前記平板部と平行な面に形成されているとともに、前記横ビードと平行に形成された横枠部分を含む略四角枠状に形成された天幅部をさらに有し、前記傾斜部は、前記天幅部の外周縁に接し、かつテーパー状に形成され、前記傾斜部の外周縁と前記横ビードとの縦方向の間隔は、前記横枠部分における縦方向の幅よりも狭くなるように構成されていることを特徴とする角形状缶である。
【０００９】
請求項４に係る発明は、請求項３の発明において、前記天幅部は、前記境界部分と平行に形成された縦枠部分をさらに有し、前記天幅部の横枠部分における縦方向の幅は、前記天幅部の縦枠部分における横方向の幅より広くなるように構成されていることを特徴とする角形状缶である。
【００１０】
請求項５に係る発明は、請求項１から４のいずれかの発明において、前記傾斜部のうち前記横ビードと平行に形成された横枠部分における前記平板部に対する傾斜角度は、前記横ビードが前記平板部から傾斜する角度よりも小さくなるように構成されていることを特徴とする角形状缶である。
【発明の効果】
【００１１】
請求項１に係る発明によれば、傾斜部の外周縁のうち縦方向の端部が、その傾斜部を含む隆起部を縦方向で挟むように設けられた横ビードのいずれか一方の近傍に形成されることによって、傾斜部の外周縁と横ビードとの縦方向の間隔を狭くできるので、座屈強度を向上させることができる。
【００１２】
請求項２に係る発明によれば、側壁面部とコーナー部との境界部分と、傾斜部の外周縁との横方向の間隔を確保することで、その境界部分に近い傾斜部の外周縁が座屈発生の起点となることを防ぐことができる。さらに、傾斜部の外周縁と横ビードとの縦方向の間隔を、上述した境界部分と傾斜部の外周縁との横方向の間隔よりも狭くすることで、好適に座屈強度を向上させることができる。
【００１３】
請求項３に係る発明によれば、傾斜部の外周縁と横ビードとの縦方向の間隔が、天幅部の横枠部分における縦方向の幅よりも狭いことによって、好適に座屈強度を向上させることができる。また、仮に側壁面部における天幅部の内側部分に角形状缶の内容物等を示すシール等が張られる場合に、天幅部の縦方向に延びる部分の幅を増大させずに座屈強度を向上させることができるため、その天幅部の内側部分を従来の形状から変更しなくてよくなる。そのため、従来通りのシール等を用いることができ、その形状変化に対応したシール等を新たに用意するコストを削減できる。
【００１４】
請求項４に係る発明によれば、傾斜部の外周縁を側壁面部とコーナー部との境界部分に近づけずに、その傾斜部の外周縁を横ビードの近傍に配置することができるので、好適に座屈強度を向上させることができる。さらに、天幅部の横枠部分における縦方向の幅を広くすることによって、上述した天幅部の内側部分の形状を変更しなくてもよくなる。また、角形状缶の搬送時、天幅部の横枠部分は搬送用ガイドと常に接しており、その横枠部分における縦方向の幅を広くすることで、角形状缶を安定した搬送することができる。
【００１５】
請求項５に係る発明によれば、傾斜部の横枠部分における平板部に対する傾斜角度が、横ビードが平板部から傾斜する角度よりも小さくなることで、横ビードと隆起部の両方で強度を向上させることができる。つまり、隆起部において、角形状缶の搬送性の問題や、側壁面部における平板部と直交する方向から荷重に対する強度を向上させる目的で平坦状の天幅部を設けられており、その天幅部を設けられることで縦方向の荷重に対する側壁面部の座屈強度が低下しても、その程度を抑制することができる。
【図面の簡単な説明】
【００１６】
【図１】この発明に係る角形状缶の一例を示した斜視図である。
【図２】その角形状缶を正面から見た正面図である。
【図３】図２に示す領域Ｉを拡大した図である。
【図４】図３に示すII−II断面を模式的に示した断面図である。
【図５】図３に示すIII−III断面を模式的に示した断面図である。
【発明を実施するための形態】
【００１７】
以下、この発明を具体的に説明する。図１は、この発明に係る角形状缶の一例を示し、その角形状缶の斜視図である。この具体例における角形状缶１は、所定の厚さの金属板により形成された缶体、いわゆる１８リットル缶である。その角形状缶１は、湾曲した四つのコーナー部１０と、そのコーナー部１０に挟まれた四つの側壁面部２０とからなる略四角形状の筒体である胴部２と、その胴部２の上下端部分のそれぞれに巻締め接合された端板である天板３および底板４とを備えた構造である。
【００１８】
そのため、胴部２における上端と天板３との境界に境界部分Ａが形成され、胴部２における下端と底板４との境界に境界部分Ｂが形成されている。その境界部分Ａと境界部分Ｂとは、横方向と平行な方向に形成されている。また、胴部２の側壁面部２０は、各コーナー部１０に挟まるように形成されており、そのコーナー部１０と側壁面部２０との境界に境界部分Ｃが形成されている。その境界部分Ｃは、縦方向と平行な方向に形成され、かつ縦方向で胴部２の全域に亘って形成されている。すなわち、横方向で胴部２における平坦状の部分と湾曲状の部分との境界が境界部分Ｃである。したがって、側壁面部２０は、縦方向で境界部分Ａ，Ｂに挟まれ、かつ横方向で境界部分Ｃに挟まれるようにして区画されている。なお、ここでの説明において、縦方向とは、図２に示す側壁面部２０の正面図における上下方向のことであり、横方向とは、図２における左右方向のことである。
【００１９】
図２に示すように、側壁面部２０は、側壁面部２０における平坦状な部分である平板部２０ａと、側壁面部２０における中央部分を含むように配置され、かつ外方に隆起する隆起部２２と、縦方向で隆起部２２の上方および下方にそれぞれ形成され、かつ横方向に延びるように形成された横ビード２１とを備えている。平板部２０ａは、側壁面部２０において境界部分Ａと境界部分Ｂと境界部分Ｃと接するように設けられている。すなわち、平板部２０ａによって境界部分Ａと境界部分Ｂと境界部分Ｃとが形成されている。また、平板部２０ａには、横方向で側壁面部２０の全域に亘って形成されている部分が含まれる。具体的には、側壁面部２０において一方の境界部分Ｃと他方の境界部分Ｃとを横方向で平坦状に繋げている部分である。
【００２０】
横ビード２１は、側壁面部２０における境界部分Ａ側と境界部分Ｂ側とにそれぞれ設けられ、横方向に延びるように形成されている。また、横ビード２１は、平板部２０ａよりも缶体外方に突出するように形成された凸ビードである。具体的には、各側壁面部２０において、横ビード２１は、縦方向で境界部分Ａと隆起部２２における外周縁との間、すなわち側壁面部２０の縦方向上側の部分と、縦方向で境界部分Ｂと隆起部２２における外周縁との間、すなわち側壁面部２０の縦方向下側の部分とに設けられている。
【００２１】
また、この具体例では、縦方向において、横ビード２１と境界部分Ａとの間と、横ビード２１と隆起部２２との間と、横ビード２１と境界部分Ｂとの間とに、平板部２０ａが形成されている。したがって、横ビード２１における外周縁は、平板部２０ａと接している。具体的には、縦方向において、横ビード２１における外周縁のうち縦方向の端部（縦端部）は、平板部２０ａと接する。例えば、図３に示すように、側壁面部２０には、横ビード２１と隆起部２２との縦方向の間隔ΔＹ２が形成されている。言い換えれば、横ビード２１における縦端部は、隆起部２２の外周縁のうち縦方向の端部（縦端部）の近傍に形成されている。
【００２２】
隆起部２２は、その外周縁が略四角形状に形成され、平板部２０ａから缶体外方に隆起している。その隆起部２２は、側壁面部２０における中央部分を含むように設けられた中央パネル部２２１を備えている。中央パネル部２２１は、略四角形状に形成され、かつ全体が平坦状に形成されている。すなわち、中央パネル部２２１は、側壁面部２０における中央部分を構成するとともに、隆起部２２における中央部分を構成する。
【００２３】
その中央パネル部２２１における外周縁に接するようにして内テーパー部２２２が設けられている。内テーパー部２２２は、略四角枠状に形成され、横ビード２１と平行に形成された横枠部分２２２ａと、境界部分Ｃと平行に形成された縦枠部分２２２ｂとを備えている。すなわち、横枠部分２２２ａは縦方向に所定の幅を有し、縦枠部分２２２ｂは横方向に所定の幅を有する。言い換えれば、横枠部分２２２ａは、縦方向の幅が所定の幅で横方向に延びており、縦枠部分２２２ｂは、横方向の幅が所定の幅で縦方向に延びている。したがって、横枠部分２２２ａとは、その外周縁および内周縁が横方向に平行に延びている部分のことである。また、縦枠部分２２２ｂとは、その外周縁および内周縁が縦方向に平行に延びている部分のことである。
【００２４】
さらに、内テーパー部２２２において、横枠部分２２２ａと縦枠部分２２２ｂとを繋ぐ角部分は、その外周縁および内周縁が湾曲状となるように形成されている。そのため、内テーパー部２２２における内周縁および外周縁が、略四角形状に形成されている。なお、いずれかの図を参照して説明する際、横枠部分２２２ａと縦枠部分２２２ｂとを区別しない場合には、内テーパー部２２２として説明する場合がある。さらに、後述する天幅部２２３と外テーパー部２２４とについても同様とする。
【００２５】
その内テーパー部２２２における外周縁に接するようにして天幅部２２３が設けられている。天幅部２２３は、略四角枠状に形成され、横ビード２１と平行に形成された横枠部分２２３ａと、境界部分Ｃと平行に形成された縦枠部分２２３ｂとを備えている。また、図３に示すように、天幅部２２３は、横枠部分２２３ａは縦方向の幅として所定幅ΔＹ１を有し、縦枠部分２２３ｂは横方向の幅として所定幅ΔＸ１を有する。この具体例における天幅部２２３では、横枠部分２２３ａにおける縦方向の幅ΔＹ１は、縦枠部分２２３ｂにおける横方向の幅ΔＸ１よりも広くなるように構成されている。さらに、天幅部２２３において、横枠部分２２３ａと縦枠部分２２３ｂとを繋ぐ角部分は、その外周縁および内周縁が湾曲状となるように形成されている。したがって、天幅部２２３における内周縁および外周縁が、略四角形状に形成されている。
【００２６】
その天幅部２２３における外周縁に接するようにして外テーパー部２２４が設けられている。外テーパー部２２４は、略四角枠状に形成され、横ビード２１と平行に形成された横枠部分２２４ａと、境界部分Ｃと平行に形成された縦枠部分２２４ｂとを備えている。すなわち、横枠部分２２４ａは縦方向に所定の幅を有し、縦枠部分２２４ｂは横方向に所定の幅を有する。言い換えれば、横枠部分２２４ａは、縦方向の幅が所定の幅で横方向に延びており、縦枠部分２２４ｂは、横方向の幅が所定の幅で縦方向に延びている。したがって、横枠部分２２４ａとは、その外周縁および内周縁が横方向に平行に延びている部分のことである。また、縦枠部分２２４ｂとは、その外周縁および内周縁が縦方向に平行に延びている部分のことである。なお、外テーパー部２２４が、この発明における傾斜部に相当する。
【００２７】
さらに、外テーパー部２２４において、横枠部分２２４ａと縦枠部分２２４ｂとを繋ぐ角部分は、外周縁および内周縁が湾曲状となるように形成されている。したがって、外テーパー部２２４における内周縁および外周縁が、略四角形状に形成されている。さらに、外テーパー部２２４における外周縁は、平板部２０ａに接している。
【００２８】
このように、隆起部２２は、側壁面部２０における中央側から境界部分Ａ，Ｂ，Ｃ側へ向けて、中央パネル部２２１、内テーパー部２２２、天幅部２２３、外テーパー部２２４の順に配置され、かつそれらが一連に形成されている。そのため、隆起部２２における外周縁は、外テーパー部２２４における外周縁によって形成されている。したがって、縦方向において、外テーパー部２２４における外周縁のうち縦方向の端部（縦端部）は、横ビード２１の縦端部の近傍に形成されている。すなわち、その外テーパー部２２４の横枠部分２２４ａにおける縦端部と、横ビード２１の縦端部との縦方向の間隔が、間隔ΔＹ２となる。
【００２９】
さらに、この具体例の角形状缶１では、側壁面部２０において、横方向で境界部分Ｃと、外テーパー部２２４の縦枠部分２２４ｂにおける横方向の端部（横端部）との間に平板部２０ａが形成されている。すなわち、境界部分Ｃと、隆起部２２における横端部との間隔として所定間隔ΔＸ２を有する。そして、側壁面部２０は、隆起部２２と横ビード２１との縦方向の間隔ΔＹ２が、隆起部２２と境界部分Ｃとの横方向の間隔ΔＸ２より狭くなるように構成されている。さらに、その隆起部２２と横ビード２１との縦方向の間隔ΔＹ２は、天幅部２２３の横枠部分２２３ａにおける縦方向の幅ΔＹ１より狭くなるように設定されている。
【００３０】
図４には、側壁面部２０における横ビード２１および隆起部２２の縦断面を示し、図５には、胴部２におけるコーナー部１０および側壁面部２０の横断面を示す。図示するように、中央パネル部２２１および天幅部２２３は、平坦状に形成され、かつ平板部２０ａと平行な面に形成されている。その中央パネル部２２１は、平板部２０ａよりも高さΔＨ２だけ缶体外方に突き出た位置に形成されている。また、天幅部２２３は、平板部２０ａよりも高さΔＨ１だけ缶体外方に突き出た位置に形成されている。さらに、天幅部２２３における高さΔＨ１は、中央パネル部２２１における高さΔＨ２よりも高い。すなわち、天幅部２２３は、相対的に中央パネル部２２１よりも缶体外方に隆起している。また、横ビード２１において最も缶体外方に突き出ている部分（頂部）は、平板部２０ａから所定高さだけ缶体外方に隆起している。さらに、横ビード２１における高さは隆起部２２の天幅部２２３における高さΔＨ１より低く設定され、天幅部２２３が、相対的に横ビード２１の頂部よりも缶体外方に隆起している。
【００３１】
また、外テーパー部２２４は、外テーパー部２２４の外周縁から内周縁へ向けて、平板部２０ａから缶体外方に傾斜するように形成されている。その外テーパー部２２４の横枠部分２２４ａにおける縦方向に対する傾斜角度は、すなわち平板部２０ａに対して傾斜する角度は、傾斜角度αとなる。さらに、内テーパー部２２２は、内テーパー部２２２の外周縁から内周縁へ向けて、天幅部２２３から缶体内方に傾斜するように形成されている。その内テーパー部２２２の横枠部分２２２ａにおける縦方向に対する傾斜角度、すなわち平板部２０ａに対して傾斜する角度は、傾斜角度βとなる。そして、内テーパー部２２２における傾斜角度βは、外テーパー部２２４における傾斜角度αより小さくなるように構成されている。したがって、内テーパー部２２２および外テーパー部２２４は、平板部２０ａに対して傾斜する傾斜面（テーパー面）である。そのため、隆起部２２は、全体として隆起するとともに、平板部２０ａと平行な面と、平板部２０ａに対して傾斜する傾斜面とから構成されている。また、横ビード２１は、横ビード２１における外周縁から頂部へ向けて、平板部２０ａに対して傾斜する傾斜面（テーパー面）である。その横ビード２１における縦方向に対する傾斜角度は、すなわち平板部２０ａに対して傾斜する角度は、傾斜角度γとなる。そして、横ビート２１における縦方向に対する傾斜角度γは、外テーパー部２２４における傾斜角度αより大きくなるように構成されている。
【００３２】
さらに、上述した胴部２における四隅を形成しているコーナー部１０のうち、いずれか一つのコーナー部１０には、その略四角形状の筒体を形成する際に溶接された接合部が形成されている。この接合部を含むコーナー部には、縦方向に向けて延びる縦ビード１１が形成されていない。例えば、図２に示す角形状缶１において図中の右側に示すコーナー部１０に接合部が含まれる場合、その右側のコーナー部１０には補強ビードである縦ビード１１が形成されていない。一方、その接合部が形成されているコーナー部以外のコーナー部１０には、縦ビード１１が形成されている。例えば、図２において左側に示すコーナー部１０が、接合部が設けられず、縦ビード１１が形成されているコーナー部に該当する。また、天板３におけるコーナー部１０の近傍には注出口が設けられている。その注出口は、四隅を形成するいずれかのコーナー部１０の近くに形成されていればよい。さらに、天板３には角形状缶１を持ち運ぶ際の把手が設けられている。
【００３３】
その縦ビード１１の縦方向の両先端部は、境界部分Aおよび境界部分Bに接しないように設けられている。すなわち、縦ビード１１はコーナー部１０の縦方向の全域に亘って形成されておらず、コーナー部１０における縦ビード１１の上方および下方には、補強ビードが形成されていない。さらに、縦ビード１１は、コーナー部１０の頂部１０ａを含むように形成されており、湾曲したコーナー部１０に対して缶体内方に窪んだ凹ビードである。
【００３４】
上述した胴部２は、所定の寸法に裁断された金属板の縁部を溶接等により接合して形成される。その一例として、まず、所定の寸法に裁断された金属板にプレス加工を行い、詳細には、そのプレス加工により胴部２の各側壁面部２０に対応する位置に横ビード２１と隆起部２２とがそれぞれ形成され、かつ各コーナー部１０に対応する位置に縦ビード１１が形成され、その後、四角筒体に折り曲げ成形を行い、その縁部を溶接等により接合して、胴部２が形成される。
【００３５】
そのようにして、横ビード２１および隆起部２２が各側壁面部２０に形成された胴部２の開口する縦方向の開口端にはそれぞれ、上端に天板３が接合され、下端に底板４が接合される。その胴部２と天板３および底板４との接合部分は、巻締め接合される。例えば、胴部２の上端縁部に形成されたフランジ部に、天板３の縁部に形成されたカール部が被せられた状態で、それらカール部とフランジ部とが一体的に巻締められ、胴部２と天板３との接合部分に巻締め部１ａが形成される。同様に、胴部２の端部と底板４の端部とが巻締め接合された巻締め部１ｂが形成される。
【００３６】
ここで、この具体例の角形状缶１について寸法等を用いて説明する。角形状缶１は、鋼板やアルミニウム合金などを素材とする厚さ０．２７ｍｍ以上０．３２ｍｍ以下の金属板により形成されている。隆起部２２は、縦３１３ｍｍ×横１８４ｍｍに形成されている。すなわち、縦方向で外テーパー部２２４の上端部分と下端部分との間の長さが３１３ｍｍ、横方向で左端部分と右端部分との間の長さが１８４ｍｍに形成される。例えば、その寸法に設定された隆起部２２に含まれる中央パネル部２２１、内テーパー部２２２、天幅部２２３、外テーパー部２２４は、以下に列記する寸法に設定することができる。
【００３７】
中央パネル部２２１は、縦２７２ｍｍ×横１４９ｍｍに形成され、四隅が曲率半径４ｍｍに形成され、側壁面部２０の平板部２０ａよりも缶体外方に１．２５ｍｍ突出するように形成されている。この突出量は、上述したΔＨ２に相当するものであり、中央パネル部２２１の形状を維持していれば、任意に変更できる。
【００３８】
内テーパー部２２２は、縦方向幅および横方向幅が４．５ｍｍに形成され、四隅の曲率半径のうち外側の曲率半径が８．５ｍｍに形成され、外周縁部分において側壁面部２０の平板部２０ａよりも缶体外方に突出するように形成されている。この突出量は、上述したΔＨ１に相当するものであり、小さすぎると座屈強度が低下し、大きすぎると座屈発生の起点となってしまうため、好ましくは１．０ｍｍ以上３．０ｍｍ以下であり、この具体例では１．６５ｍｍである。さらに、この具体例では、内テーパー部２２２の横枠部分２２２ａにおける縦方向に対する傾斜角度βは５°に設定されている。その傾斜角度βが小さすぎると、中央パネル部２２１の外寸を十分に得ることができない。この場合、角形状缶１の内容物等を示すシール等の寸法を変更しなければならない。一方、傾斜角度βが大きすぎると、座屈発生の起点となってしまう。そのため、傾斜角度γは、３°〜７°が好ましい。
【００３９】
天幅部２２３は、横方向に延びる部分の幅（ΔＹ１）が縦方向に延びる部分の幅（ΔＸ１）よりも大きく形成され、四隅の曲率半径のうち外側の曲率半径が４．５ｍｍに形成されている。例えば、横方向に延びる部分の幅（ΔＹ１）が６ｍｍ、縦方向に延びる部分の幅（ΔＸ１）が３ｍｍに形成される。なお、天幅部２２３は、全周に亘って均一の幅に形成されてもよい。そして、外テーパー部２２４は、横方向幅および縦方向幅が１０ｍｍに形成され、四隅の曲率半径のうち外側の曲率半径が１４．５ｍｍに形成されている。
【００４０】
また、縦方向で外テーパー部２２４の外周縁と横ビート２１の外周縁との縦方向の間隔ΔＹ２が３ｍｍ以下となるように構成されている。これは、その間隔ΔＹ２を３ｍｍ以下とすることによって、縦方向で隆起部２２と横ビード２１との間に形成される平板部２０ａが少なくなるので、側壁面部２０における座屈位置を相対的に座屈強度が強いコーナー部１０側へと制御することができ、側壁面部２０の座屈強度を向上させることができるからであり、その外テーパー部２２４と横ビード２１との間隔ΔＹ２は、好ましくは２ｍｍ以下であり、１．３ｍｍとすることもできる。したがって、縦方向の間隔ΔＹ２を０ｍｍ、すなわち縦方向で外テーパー部２２４と横ビード２１を接触させてもよい。言い換えれば、縦方向で外テーパー部２２４と横ビード２１との間に平板部２０ａが形成されていなくてもよい。さらに、横方向で外テーパー部２２４の外周縁とコーナー部１０との横方向の間隔ΔＸ２を３．５ｍｍとすることができる。すなわち、横方向で外テーパー部２２４の横枠部分２２４ｂにおける横端部と境界部分Ｃとの間隔ΔＸ２が３．５ｍｍとなる。また、その間隔ΔＸ２は、好ましくは３ｍｍ以上５ｍｍ以下となる。さらに、外テーパー部２２４の横枠部分２２４ａにおける縦方向に対する傾斜角度αは、この具体例では９°に設定されている。これは、上述した内テーパ部２２２の横枠部分２２２ａにおける傾斜角度βと同様で、外テーパー部２２５における傾斜角度αが小さすぎると、中央パネル部２２１の外寸を十分に得ることができない。この場合、角形状缶１の内容物等を示すシール等の寸法を変更しなければならない。一方、傾斜角度αが大きすぎると、座屈発生の起点となってしまう。そのため、傾斜角度αは、７°〜１１°が好ましい。
【００４１】
横ビード２１は、横方向で長さ１９０ｍｍ、縦方向で幅７．５ｍｍに形成されている。また、横ビード２１における頂部が側壁面部２０の平板部２０ａよりも缶体外方に突出しており、その突出量は、０．８５ｍｍである。なお、その突出量は、小さすぎると座屈強度が低下し、大きすぎると座屈発生の起点となってしまうため、好ましくは０．５ｍｍ以上１．５ｍｍ以下である。さらに、横方向で横ビード２１とコーナー部１０との横方向の間隔、すなわち横ビード２１における横端部と境界部分Ｃとの横方向の間隔は、好ましくは５ｍｍ以内である。これは、角形状缶１はコーナー部１０と側壁面部２０との境界である境界部分Ｃの近傍で座屈が発生し易いので、横ビード２１における横端部を境界部分Ｃの近傍に配置することによって、側壁面部２０とコーナー部１０との境界近傍の側壁面部２０を補強することができるとともに、側壁面部２０における座屈位置を相対的に座屈強度が強いコーナー部１０側へと制御することができるので、側壁面部２０の座屈強度を向上することができるためである。また、縦方向で横ビード２１と天板３あるいは底板４との間隔、すなわち横ビード２１における縦端部と境界部分Ａあるいは境界部分Ｂとの縦方向の間隔は、５ｍｍ以上１５ｍｍ以下である。これは縦方向で横ビード２１の上端部分と境界部分Ａとの間隔、および横ビード２１の下端部分と境界部分Ｂとの間隔を狭くしすぎると、缶胴２と天板３および底板４との巻締接合に不良が生じてしまい、他方、その間隔を広くしすぎると座屈強度が低下してしまうからである。さらに、横ビード２１における縦方向に対する傾斜角度γは、この具体例では１３°に設定されている。その傾斜角度γは、大きすぎると座屈発生の起点となってしまい、小さすぎると横ビード２１における補強ビードとしての機能が十分に発揮されなくなる。そのため、傾斜角度γは１１°〜１５°が好ましい。これは、横ビード２１は補強の為にあるため、側壁面部２０の平板部２０ａと平行な面は設けなくてもよい。このため、傾斜角度γを大きくしても座屈強度を損なわずに十分に補強することができる。しかし、隆起部２２に関しては、搬送性の問題や、側壁面部２０に対して垂直方向の荷重に対する強度を向上させるために、天幅部２２３を設けている。そして、天幅部２２３を設けてしまうと、軸線方向の荷重に対する座屈強度が弱くなってしまう。また、天幅部２２３を設けることにより、外テーパー部２２４における傾斜角度αを大きくすると座屈発生の起点となる虞がある。このため、外テーパー部２２４における傾斜角度αを横ビード２１における傾斜角度γよりも小さくすることで、横ビード２１と隆起部２２の両方で強度を向上させることができる。
【００４２】
また、コーナー部１０は、曲率半径２２ｍｍに形成されている。そのコーナー部１０に形成される縦ビード１１は、縦方向で長さ２９４ｍｍに形成され、コーナー部１０の縦方向全体には形成されていない。言い換えれば、縦方向で胴部２は２９４ｍｍよりも長く構成されている。
【００４３】
この具体例によれば、側壁面部における隆起部の周縁部と横ビードと縦方向の間隔を狭くすることにより、側壁面部の座屈強度を向上させることができる。すなわち、缶体外方へ突出している隆起部および横ビードを有する側壁面部では、角形状缶に軸線方向（縦方向）の荷重が掛かると、縦方向に平行な平板部において座屈が発生し易いが、この具体例によれば、その座屈発生を防止することができる。
【００４４】
また、角形状缶に対して作用する軸線方向の荷重は、コーナー部に集中的に作用し、仮に座屈した場合の座屈形態とは、コーナー部を缶体内方へ折り曲げるような変形になる。例えば、一つのコーナー部を挟む二つの側壁面部との境界部分、すなわち荷重が作用する方向と直交する断面形状が平坦状と湾曲状との境界で変形が生じ、そのコーナー部における両側の境界部分を摘み缶体内方へ押し込むような変形となる。そのため、側壁面部において平板部と隆起部の外テーパー部における縦枠部分との境界も座屈発生の起点となり得る。したがって、この具体例によれば、外テーパー部における横方向の端部が、側壁面部においてコーナー部との境界部分から横方向の所定間隔を有するようにして形成されているので、外テーパー部と平板部との境界部分が座屈発生の起点となることを防止でき、座屈強度を向上させることができる。
【００４５】
さらに、側壁面部において平板部から缶体外方に突出する突出部分である内テーパー部と外テーパー部、および横ビードにおけるそれぞれの傾斜角度が、それら突出部分と平板部との境界が座屈発生の起点とならない角度に設定されているので、側壁面部における座屈強度を向上できる。
【００４６】
なお、この発明に係る角形状缶は、上述した具体例に限定されず、この発明の目的を逸脱しない範囲で適宜変更が可能である。例えば、上述した具体例では、横ビードを缶体外方に突出する凸ビードとして構成する例について説明したが、この発明はこれに限定されず、その横ビードを側壁面部の平坦部よりも缶体内方に突出する凹ビードとすることができる。同様に、コーナー部に形成される縦ビードについても凹ビードであるか凸ビードであるかを問わない。
【００４７】
また、上述した具体例では、接合部を含んでいるコーナー部には縦ビードを形成しない構成について説明したが、その接合部を含むコーナー部にも縦ビードを形成してもよい。すなわち、胴部の四隅を構成するコーナー部の全てに縦ビードを設けてもよい。
【００４８】
また、上述した具体例では、側壁面部における缶体外方への突出量、あるいは縦方向もしくは横方向にたいする傾斜角度についての程度を説明する際に、胴部の内表面を基準として説明したが、その胴部の外表面を基準とするように読み替えることが可能である。例えば、板厚が均一である場合には、そのような内表面、もしくは外表面を基準としてもよく、またプレス加工などにより板厚が均一とならない場合であっても、板厚の中心を基準として相対的にどの程度缶体内方あるいは缶体外方に位置しているかを説明することができる。
【００４９】
さらに、縦方向において、外テーパー部における外周縁のうち、縦方向の端部（縦端部）は、横ビードのうち上側あるいは下側のいずれか一方の近傍に形成されていればよい。
【符号の説明】
【００５０】
１…角形状缶、  ２…胴部、  ３…天板、  ４…底板、  １０…コーナー部、  ２０…側壁面部、  ２０ａ…平板部、  ２１…横ビード、  ２２…隆起部、  ２２１…パネル部、  ２２２…内テーパー部、  ２２３…天幅部、  ２２４…外テーパー部、  ２２２ａ，２２３ａ，２２４ａ…横枠部分、  ２２２ｂ，２２３ｂ，２２４ｂ…縦枠部分、  Ａ，Ｂ，Ｃ…境界部分。
【図１】
2014151949.tif 000003
【図２】
2014151949.tif 000004
【図３】
2014151949.tif 000005
【図４】
2014151949.tif 000006
【図５】
2014151949.tif 000007